(57)【要約】【課題】通常の紙文書から、リンク情報が付加された電子文書を容易に作成する。【解決手段】スキャナ装置によって紙文書をスキャニングすることによって得られた画像データを、ＴＩ分離処理部２１０が解析して、文字部分とイメージ部分とに分離し、ＯＣＲ処理部２２０が、ＴＩ分離処理部２１０によって分離された文字部分に対し、文字認識処理を行い、テキストデータを出力し、リンク対象検出部２３０が、ＯＣＲ処理部２２０によって得られたテキストデータを解析して、リンク対象（リンク元及びリンク先）となる特定の文字列（例えば、「図１」等）を検出し、リンク先判別部２４０が、検出されたリンク対象の中から、リンク先となるものを判別し、リンク生成部２５０が、リンク先以外のリンク対象文字列（すなわち、リンク元文字列）からリンク先文字列へのリンクを生成し、生成したリンク情報を電子文書に埋め込む。【選択図】図２
2006085234.tif 000002
【特許請求の範囲】
【請求項１】
紙文書から電子文書を作成する電子文書作成装置であって、
紙文書から読み取られた画像データに対して文字認識処理を行う文字認識処理部と、
前記文字認識処理の結果に基づいて、リンク対象要素を検出するリンク対象検出部と、
リンク対象検出部によって検出されたリンク対象要素のうち、リンク先となるものを判別するリンク先判別部と、
リンク先と判別されたもの以外のリンク対象要素から、リンク先と判別されたリンク対象要素へのリンク情報を生成し、電子文書に埋め込むリンク生成部と
を備えたことを特徴とする電子文書作成装置。
【請求項２】
前記リンク先判別部は、リンク対象要素の周辺の画像データを切り出し、切り出した画像データに基づいて、リンク対象要素がリンク先か否かを判別する
ことを特徴とする請求項１に記載の電子文書作成装置。
【請求項３】
前記文字認識処理部は、
紙文書から読み取られた画像データを文字部分とイメージ部分とに分離する文字イメージ分離処理部と、
前記文字部分に対し、文字認識処理を行い、テキストデータを出力するＯＣＲ処理部と
を備えたことを特徴とする請求項２に記載の電子文書作成装置。
【請求項４】
前記リンク先判別部は、切り出した画像データに含まれる文字部分とイメージ部分の割合に基づいて、リンク対象要素がリンク先か否かを判別する
ことを特徴とする請求項３に記載の電子文書作成装置。
【請求項５】
前記リンク対象要素は、図表番号である
ことを特徴とする請求項１〜４のいずれか一項に記載の電子文書作成装置。
【請求項６】
前記リンク先判別部は、切り出した画像データに含まれる文字情報に基づいて、リンク対象要素がリンク先か否かを判別する
ことを特徴とする請求項２又は請求項３に記載の電子文書作成装置。
【請求項７】
前記リンク対象要素は、章タイトルである
ことを特徴とする請求項１〜４、６のいずれか一項に記載の電子文書作成装置。
【請求項８】
紙文書に記録された情報を取り込む紙文書情報取込部を更に備えたことを特徴とする請求項１〜７のいずれか一項に記載の電子文書作成装置。
【請求項９】
紙文書から電子文書を作成する電子文書作成方法であって、
紙情報から読み取られた画像データに対して文字認識処理を行い、
前記文字認識処理の結果に基づいて、リンク対象要素を検出し、
検出されたリンク対象要素のうち、リンク先となるものを判別し、
リンク先と判別されたもの以外のリンク対象要素から、リンク先と判別されたリンク対象要素へのリンク情報を生成し、
生成されたリンク情報を電子文書に埋め込む
ことを特徴とする電子文書作成方法。
【請求項１０】
紙文書から電子文書を作成するためのプログラムであって、コンピュータを、
紙文書から読み取られた画像データに対して文字認識処理を行う文字認識処理部、
前記文字認識処理の結果に基づいて、リンク対象要素を検出するリンク対象検出部、
リンク対象検出部によって検出されたリンク対象のうち、リンク先となるものを判別するリンク先判別部、及び、
リンク先と判別されたもの以外のリンク対象要素から、リンク先と判別されたリンク対象要素へのリンク情報を生成し、電子文書に埋め込むリンク生成部
として機能させるための電子文書作成プログラム。
【発明の詳細な説明】
【技術分野】
【０００１】
本発明は、紙文書から、ハイパーテキスト形式の電子文書（例えば、ＨＴＭＬ文書）を作成する電子文書作成装置、電子文書作成方法及び電子文書作成プログラムに関する。
【背景技術】
【０００２】
従来から、電子化された文書の一形態として、ハイパーテキスト文書が知られている。ＨＴＭＬで記述されたＷｅｂページもハイパーテキスト文書の一種である。ハイパーテキスト文書では、文書内の特定の文字列等（リンク元）と、当該文字列に関連する他の文書や画像等（リンク先）との間にリンクが張られており、ディスプレイ上に表示されたリンク元の文字列等をマウス等を使ってクリックすると、リンク先の文書や画像等が表示される。すなわち、ハイパーテキスト文書は、現在閲覧している文書と関連する情報を即座に取り出すことができ、単純に電子化されたものに比べて利便性が高い。
【０００３】
従って、通常の紙文書として発行された本や論文などを電子化する場合、例えば、スキャナで読み込み、ＯＣＲ処理するだけの電子化だけでなく、必要に応じて、ハイパーテキスト化できるのが望ましい。
【０００４】
しかしながら、ハイパーテキスト文書の場合、リンク元とリンク先を対応付けるリンク情報を各リンク毎に電子文書内に埋め込む必要があり、単純に電子化する場合に比べて、その作成に手間がかかる。
【０００５】
特許文献１には、紙文書をスキャナなどで読み込んで電子文書化する際、紙文書上に予め設けられたエンコードされたリンク情報をデコードし、デコードされた情報をもとに電子文書にリンクをつける方法が開示されている。
【０００６】
しかしながら、特許文献１記載の方法では、紙文書上に予め設けられているリンク情報に基づいてハイパーテキスト文書を作成しており、そのようなリンク情報が設けられていない通常の紙文書には適用することができない。
【０００７】
【特許文献１】特開平９−４４３８３号公報
【発明の開示】
【発明が解決しようとする課題】
【０００８】
本発明の目的は、通常の紙文書から、リンク情報が付加された電子文書を容易に作成することができる電子文書作成装置、電子文書作成方法及び電子文書作成プログラムを提供することにある。
【課題を解決するための手段】
【０００９】
本発明に係る電子文書作成装置は、紙文書から電子文書を作成する電子文書作成装置であって、紙文書から読み取られた画像データに対して文字認識処理を行う文字認識処理部と、前記文字認識処理の結果に基づいて、リンク対象要素を検出するリンク対象検出部と、リンク対象検出部によって検出されたリンク対象要素のうち、リンク先となるものを判別するリンク先判別部と、リンク先と判別されたもの以外のリンク対象要素から、リンク先と判別されたリンク対象要素へのリンク情報を生成し、電子文書に埋め込むリンク生成部とを備えたことを特徴とする。
【００１０】
この場合において、前記リンク先判別部は、リンク対象要素の周辺の画像データを切り出し、切り出した画像データに基づいて、リンク対象要素がリンク先か否かを判別するようにしてもよい。更に、前記文字認識処理部は、紙文書から読み取られた画像データを文字部分とイメージ部分とに分離する文字イメージ分離処理部と、前記文字部分に対し、文字認識処理を行い、テキストデータを出力するＯＣＲ処理部とを備えるようにしてもよい。更に、前記リンク先判別部は、切り出した画像データに含まれる文字部分とイメージ部分の割合に基づいて、リンク対象要素がリンク先が否かを判別するようにしてもよい。この場合のリンク対象要素の例としては、図表番号が挙げられる。
【００１１】
また、前記リンク先判別部は、切り出した画像データに含まれる文字情報に基づいて、リンク対象要素がリンク先が否かを判別するようにしてもよい。この場合のリンク対象要素の例としては、章タイトルが挙げられる。
【００１２】
また、以上の場合において、紙文書に記録された情報を取り込む紙文書情報取込部を更に備えるようにしてもよい。
【００１３】
本発明に係る電子文書作成方法は、紙文書から電子文書を作成する電子文書作成方法であって、紙情報から読み取られた画像データに対して文字認識処理を行い、前記文字認識処理の結果に基づいて、リンク対象要素を検出し、検出されたリンク対象要素のうち、リンク先となるものを判別し、リンク先と判別されたもの以外のリンク対象要素から、リンク先と判別されたリンク対象要素へのリンク情報を生成し、生成されたリンク情報を電子文書に埋め込むことを特徴とする。
【００１４】
本発明に係るプログラムは、紙文書から電子文書を作成するためのプログラムであって、コンピュータを、紙文書から読み取られた画像データに対して文字認識処理を行う文字認識処理部、前記文字認識処理の結果に基づいて、リンク対象要素を検出するリンク対象検出部、リンク対象検出部によって検出されたリンク対象のうち、リンク先となるものを判別するリンク先判別部、及び、リンク先と判別されたもの以外のリンク対象要素から、リンク先と判別されたリンク対象要素へのリンク情報を生成し、電子文書に埋め込むリンク生成部として機能させるための電子文書作成プログラムである。
【００１５】
なお、当該プログラムは、ＣＤ−ＲＯＭ等の可搬記録媒体やネットワーク等の手段を介して頒布されうる。
【発明の効果】
【００１６】
本発明によれば、通常の紙文書から、リンク情報が付加された電子文書を容易に作成することができる。
【発明を実施するための最良の形態】
【００１７】
以下、本発明の実施の形態について、図面を参照しつつ詳細に説明する。
【００１８】
図１は、本発明に係る電子文書作成装置のハードウェア構成例を示す図である。同図に示すように、電子文書作成装置１００は、ＣＰＵ１０１と、メインメモリ１０２と、ＲＯＭ１０３と、ビデオインタフェース部１０４と、表示装置１０５と、ハードディスクインタフェース部１０６と、ハードディスク装置１０７と、入力インタフェース部１０８と、入力装置１０９と、スキャナインタフェース部１１０と、スキャナ装置１１１と、ネットワークインタフェース部１１２とを備える。
【００１９】
ＣＰＵ１０１、メインメモリ１０２、ＲＯＭ１０３、ビデオインタフェース部１０４、ハードディスクインタフェース部１０６、入力インタフェース部１０８、スキャナインタフェース部１１０及びネットワークインタフェース部１１２は、それぞれ、バス１２０に接続されている。また、ビデオインタフェース部１０４には、表示装置１０５が接続され、ハードディスクインタフェース部１０６には、ハードディスク装置１０７が接続される。また、入力インタフェース部１０８には、入力装置１０９が接続され、スキャナインタフェース部１１０には、スキャナ装置１１１が接続される。また、ネットワークインタフェース部１１２は、インターネット等の外部ネットワークや、社内ＬＡＮ等の内部ネットワークに接続される。
【００２０】
ＣＰＵ１０１は、電子文書作成装置１００が行う各種処理を実行・制御する中央処理装置である。メインメモリ１０２は、ＣＰＵ１０１が利用する各種プログラムやデータを格納する主記憶装置である。ＲＯＭ１０３は、ＣＰＵ１０１が利用するＢＩＯＳ等を格納する記憶装置である。
【００２１】
表示装置１０５は、ＣＰＵ１０１によって行われる各種処理の結果等を表示するためのものであり、例えば、ＣＲＴ表示装置やＬＣＤ表示装置等によって構成される。ビデオインタフェース部１０４は、ＣＰＵ１０１の指示に従って、表示装置１０５を制御するものである。
【００２２】
ハードディスク装置１０７は、ＣＰＵ１０１が利用するオペレーティングシステム（ＯＳ）その他の各種プログラムやデータを格納する補助記録装置である。ハードディスクインタフェース部１０６は、ハードディスク装置１０７とバス１２０との間のデータのやり取りを制御するものである。
【００２３】
入力装置１０９は、使用者の指示等を入力するためのものであり、例えば、キーボードやマウスその他のポインティングデバイス等によって構成される。入力インタフェース部１０８は、入力装置１０９とバス１２０と間のデータのやり取りを制御するものである。
【００２４】
スキャナ装置１１１は、紙文書に記録された情報を読み取って、画像データとして電子文書作成装置１００内に取り込むためのものである。スキャナインタフェース部１１０は、スキャナ装置１１１とバス１２０と間のデータのやり取りを制御するものである。
【００２５】
ネットワークインタフェース部１１２は、外部ネットワーク又は内部ネットワークとバス１２０との間のデータのやり取りを制御するものである。
【００２６】
図２は、電子文書作成装置１００のソフトウェア構成例を示す図である。同図に示すように、電子文書作成装置１００は、ＴＩ分離処理部２１０と、ＯＣＲ処理部２２０と、リンク対象検出部２３０と、リンク先判別部２４０と、リンク生成部２５０とを備える。各部２１０〜２５０は、基本的に、ＣＰＵ１０１が、メインメモリ１０２にロードされたプログラムを実行することで実現される。更に、電子文書作成装置１００は、リンク対象管理テーブル２６０を備える。
【００２７】
ＴＩ分離処理部２１０は、スキャナ装置１１１によって紙文書をスキャニングすることによって得られた画像データを解析して、文字部分とイメージ部分とに分離する。
【００２８】
ＯＣＲ処理部２２０は、ＴＩ分離処理部２１０によって分離された文字部分に対し、文字認識処理を行い、テキストデータを出力する。
【００２９】
リンク対象検出部２３０は、ＯＣＲ処理部２２０によって得られたテキストデータを解析して、リンク対象（リンク元及びリンク先）となる特定の文字列を検索する。リンク対象となる特定の文字列としては、例えば、「図１」、「図２」等や「表１」、「表２」等といった図表番号や「第１章」、「第２章」等といった章タイトルが考えられる。
【００３０】
リンク対象管理テーブル２６０は、リンク対象検出部２３０によって検出されたリンク対象を管理するためのテーブルである。リンク対象管理テーブル２６０の構成については後述する。
【００３１】
リンク先判別部２４０は、リンク対象検出部２３０によって検出され、リンク対象管理テーブル２６０によって管理されているリンク対象の中から、リンク先となるものを判別する。判別に用いる情報としては、例えば、リンク対象文字列周辺の文字密度や、イメージ密度、文字の大きさ等が挙げられる。
【００３２】
図２に示すように、リンク先判別部２４０は、画像切り出し部２４１と切り出し画像解析部２４２とを備える。画像切り出し部２４１は、リンク対象検出部２３０によって検出され、リンク対象管理テーブル２６０によって管理されている各リンク対象の周辺画像を切り出す。切り出し画像解析部２４１は、画像切り出し部２４１が切り出した画像に含まれるリンク対象がリンク先であるか否かを判別するために、画像切り出し部２４１が切り出した画像を解析する。本実施形態では、切り出し画像解析部２４１は、切り出した画像を解析して、各リンク対象のリンク先尤度を算出する。リンク先尤度とは、リンク対象がリンク先であることの尤もらしさを表す値であり、各実装条件に応じて適当な算出式が選定される。
【００３３】
リンク生成部２５０は、リンク先判別部２４０によるリンク先の判別処理が終了すると、リンク対象管理テーブル２６０に管理されているリンク先以外のリンク対象文字列（すなわち、リンク元文字列）からリンク先文字列へのリンクを生成し、生成したリンク情報を電子文書に埋め込む。そして、リンク情報が付加された電子文書を出力する。
【００３４】
図３は、リンク対象管理テーブル２６０の構成例を示す図である。同図に示すように、リンク対象管理テーブル２６０は、「リンク対象」フィールド３０１と、「リンク先尤度」フィールド３０２と、「リンク先フラグ」フィールド３０３とを備えている。
【００３５】
「リンク対象」フィールド３０１には、リンク対象検出部２３０によって検出されたリンク対象となる特定の文字列の位置情報（例えば、ページ数と行番号）が格納される。「リンク先尤度」フィールド３０２には、切り出し画像解析部２４２によって算出された各リンク対象のリンク先尤度が格納される。「リンク先フラグ」フィールド３０２には、対応するリンク対象がリンク先であるか否かを示すフラグが格納される。本実施形態では、リンク先判別部２４０によってリンク先と判別されたリンク対象については、「１」が格納され、それ以外のリンク対象（すなわち、リンク元）については、「０」が格納される。
【００３６】
次に、以上のような構成を有する電子文書作成装置１００の動作について具体的に説明する。
【００３７】
まず、図表を有する紙文書において、文章中の図表番号から、対応する図表の近傍に付された図表番号へのリンクを生成する場合について説明する。
【００３８】
図４は、処理対象となる紙文書の例を示す図である。同図（ａ）は、特定の図表番号、すなわち、「図１」及び「図２」を含む文章を有するページ４０１の様子を示しており、同図（ｂ）は、図表番号「図１」及び「図２」に対応する図表を有するページ４０２の様子を示している。
【００３９】
電子文書作成装置１００は、まず、スキャナ装置１１１によって、図４に示した紙文書４０１，４０２をスキャンし、取り込んだ画像データをＴＩ分離処理部２１０によって文字部分とイメージ部分とに分離する。次に、ＴＩ分離処理部２１０によって分離された文字部分に対して、ＯＣＲ処理部２２０によって文字認識処理を行い、テキストデータを生成する。次に、リンク対象検出部２３０によって、テキストデータを解析して、リンク対象（例えば、文字列「図１」）を検出する。
【００４０】
図５は、リンク対象検出処理が終了した時点の状態を説明するための図である。同図（ａ）及び（ｂ）はそれぞれ、図４（ａ）及び（ｂ）に対応する。図５（ａ）は、対象ページ５１０では、全面が文字部分５１１と認識され、更に、文字部分５１１に含まれた図表番号「図１」５１２，５１３が検出された様子を表している。また、図５（ｂ）は、対象ページ５２０では、図表がイメージ部分５２１，５２２として認識され、各図表の近傍にある各図表番号（「図１」及び「図２」）が文字部分５２３，５２４として認識され、更に、文字部分５２３に含まれた図表番号「図１」５２５が検出された様子を表している。
【００４１】
リンク対象検出部２３０によるリンク対象の検出が終了すると、次に、電子文書作成装置１００は、検出された各図表番号の周辺画像をリンク先判別部２４０の画像切り出し部２４１によって切り出す。切り出す画像の形状や大きさは、実装条件に応じて適当なものが選択される。
【００４２】
図６は、図表番号「図１」の周辺画像を切り出す様子を示す図である。本実施形態では、同図に示すように、文字列「図１」を中心とした矩形領域６１０，６１１，６１２を切り出し対象領域としている。
【００４３】
各図表番号の周辺画像の切り出しが終了すると、次に、電子文書作成装置１００は、リンク先判別部２４０の切り出し画像解析部２４２によって、切り出した領域に含まれる文字部分とイメージ部分との割合を、ＴＩ分離処理によって得られた情報を使って、各リンク対象文字列について算出する。算出された割合は、リンク対象管理テーブル２６０の「リンク先尤度」フィールド３０２に格納される。そして、すべてのリンク対象について算出が終了すると、リンク先判別部２４０は、算出結果を比較して、リンク先となる文字列「図１」を判別する。例えば、切り出した領域に含まれるイメージ部分の割合が最も大きくなる箇所にある文字列「図１」をリンク先と判別する。図６に示した例では、領域６１２に含まれる文字列「図１」がリンク先と判別される。
【００４４】
リンク先判別部２４０によるリンク先の判別が終了すると、電子文書作成装置１００は、リンク生成部２５０によって、リンク先以外のリンク対象文字列「図１」からリンク先となる文字列「図１」へのリンク情報を電子文書に埋め込む。例えば、電子文書作成装置１００が作成するハイパーテキスト文書がＨＴＭＬ文書の場合は、ＯＣＲ処理部２２０によって生成されたテキストデータにおいて、リンク先となる文字列「図１」を、文字列「＜Ａ  ｎａｍｅ＝”ｆｉｇ０１”＞図１＜／Ａ＞」で置き換え、リンク元となる他のすべての文字列「図１」を文字列「＜Ａ  ｈｒｅｆ＝”＃ｆｉｇ０１”＞図１＜／Ａ＞」で置き換える。ＨＴＭＬ文書の場合、このようなタグ（エレメント）をテキストデータに埋め込むことによって、リンク元からリンク先へのハイパーリンクが実現される。なお、ここでは、簡単のため、リンク元とリンク先の「図１」が共に同一のＨＴＭＬファイルに含まれている場合のＨＴＭＬ記述例を示している。
【００４５】
以上のようにして、通常の紙文書から、図表番号についてリンク情報が付加された電子文書が作成される。
【００４６】
次に、目次部分等に含まれる章タイトルから、本文部分において各章の冒頭に置かれる章タイトルへのリンクを生成する場合について説明する。
【００４７】
図７は、処理対象となる紙文書の例を示す図である。同図（ａ）は、特定の章タイトル、すなわち、「第１章」、「第２章」等を含む目次が記載されたページ７０１の様子を示しており、同図（ｂ）は、章タイトル「第１章」を含む本文が記載されたページ７０２の様子を示している。
【００４８】
電子文書作成装置１００は、まず、スキャナ装置１１１によって、図７に示した紙文書７０１，７０２をスキャンし、取り込んだ画像データをＴＩ分離処理部２１０によって文字部分とイメージ部分とに分離する。次に、ＴＩ分離処理部２１０によって分離された文字部分に対して、ＯＣＲ処理部２２０によって文字認識処理を行い、テキストデータを生成する。次に、リンク対象検出部２３０によって、テキストデータを解析して、リンク対象文字列（例えば、文字列「第１章」）を検出する。
【００４９】
リンク対象検出部２３０によるリンク対象の検出が終了すると、次に、電子文書作成装置１００は、検出された各章タイトルの周辺画像を画像切り出し部２４１によって切り出す。切り出す画像の形状や大きさは、実装条件に応じて適当なものが選択される。
【００５０】
図８は、章タイトル「第１章」の周辺画像を切り出す様子を示す図である。本実施形態では、同図に示すように、文字列「第１章」を中心とした矩形領域８１０，８１１，８１２を切り出し対象領域としている。
【００５１】
各章タイトルの周辺画像の切り出しが終了すると、次に、電子文書作成装置１００は、リンク先となる文字列「第１章」を判別するために、切り出し画像解析部２４２によって、切り出した領域に含まれる文字情報を解析する。解析のために使われる文字情報としては、例えば、文字数、行数、文字の大きさ等が挙げられる。また、解析にあたっては、リンク対象文字列の文章内での出現位置を考慮することもできる。例えば、目次に含まれる章タイトルは、文書の最初の方に出現する可能性が高いということを考慮する。切り出し画像解析部２４２は、実装条件に応じて適宜選定された算出式を使って、上記情報から各リンク対象文字列「第１章」のリンク先尤度を算出する。算出されたリンク先尤度は、リンク対象管理テーブル２６０の「リンク先尤度」フィールド３０２に格納される。そして、すべてのリンク対象について算出が終了すると、リンク先判別部２４０は、リンク先尤度が最も大きくなる文字列「第１章」をリンク先と判別する。図８に示した例では、領域８１１に含まれる文字列「第１章」がリンク先と判別される。
【００５２】
リンク先判別部２４０によるリンク先の判別が終了すると、電子文書作成装置１００は、リンク生成部２５０によって、リンク先以外のリンク対象文字列「第１章」からリンク先となる文字列「第１章」へのリンク情報を電子文書に埋め込む。例えば、電子文書作成装置１００が作成するハイパーテキスト文書がＨＴＭＬ文書の場合は、ＯＣＲ処理部２２０によって生成されたテキストデータにおいて、リンク先となる文字列「第１章」を、文字列「＜Ａ ｎａｍｅ＝”ｃｈａｐ０１”＞第１章＜／Ａ＞」で置き換え、リンク元となる他のすべての文字列「第１章」を文字列「＜Ａ  ｈｒｅｆ＝”＃ｃｈａｐ０１”＞第１章＜／Ａ＞」で置き換える。なお、ここでは、簡単のため、リンク元とリンク先の「第１章」が共に同一のＨＴＭＬファイルに含まれている場合のＨＴＭＬ記述例を示している。
【００５３】
以上のようにして、通常の紙文書から、章タイトルについてリンク情報が付加された電子文書が作成される。
【００５４】
なお、ここでは、図表を有する紙文書において、文章中の図表番号から、対応する図表の近傍に付された図表番号へのリンクを生成する場合と、目次部分等に含まれる章タイトルから、本文部分において各章の冒頭に置かれる章タイトルへのリンクを生成する場合とについて具体的に説明したが、当然のことながら、本発明は、これらの場合に限られない。例えば、索引部分に含まれる特定の文字列から、本文部分に含まれる特定の文字列へのリンクを生成する場合についても、本発明を適用することが可能である。
【図面の簡単な説明】
【００５５】
【図１】本発明による電子文書作成装置１００のハードウェア構成例を示す図である。
【図２】電子文書作成装置１００のソフトウェア構成例を示す図である。
【図３】リンク対象管理テーブル２６０の構成例を示す図である。
【図４】電子文書作成装置１００の処理対象となる紙文書の例を示す図である。
【図５】リンク対象検出処理が終了した時点の状態を説明するための図である。
【図６】図表番号「図１」の周辺画像を切り出す様子を示す図である。
【図７】電子文書作成装置１００の処理対象となる紙文書の例（その２）を示す図である。
【図８】章タイトル「第１章」の周辺画像を切り出す様子を示す図である。
【符号の説明】
【００５６】
１００    電子文書作成装置
１０１    ＣＰＵ
１０２    メインメモリ
１０３    ＲＯＭ
１０４    ビデオインタフェース部
１０５    表示装置
１０６    ハードディスクインタフェース部
１０７    ハードディスク装置
１０８    入力インタフェース部
１０９    入力装置
１１０    スキャナインタフェース部
１１１    スキャナ装置
１１２    ネットワークインタフェース部
１２０    バス
２１０    ＴＩ分離処理部
２２０    ＯＣＲ処理部
２３０    リンク対象検出部
２４０    リンク先判別部
２４１    画像切り出し部
２４２    切り出し画像解析部
２５０    リンク生成部
２６０    リンク対象管理テーブル
【図１】
2006085234.tif 000003
【図２】
2006085234.tif 000004
【図３】
2006085234.tif 000005
【図４】
2006085234.tif 000006
【図５】
2006085234.tif 000007
【図６】
2006085234.tif 000008
【図７】
2006085234.tif 000009
【図８】
2006085234.tif 000010